(57)【特許請求の範囲】
【請求項１】
主板の幅方向両側端に立上り側部が形成され、一方の立上り側部の上端より外方に向かって連結用屈曲部が形成されてなる金属板部に、防水性及び熱融着性を有する被覆シート部が貼着された屋根板材が複数並設され、その隣接する屋根板材同士において、屋根板材の他方の立上り側部を隣接する屋根板材の一方の立上り側部と連結用屈曲部間に挟持するようにして配置され、隣接する屋根板材同士の被覆シート部が該被覆シート部と同等の材質からなる接合材にて熱融着され水密的に連結固着されて屋根が施工され、該屋根表面上に栽培層が配置されてなることを特徴とする緑化屋根。
【請求項２】
主板の幅方向両側端に立上り側部が形成され、一方の立上り側部の上端より外方に向かって連結用屈曲部が形成されてなる金属板部に、防水性及び熱融着性を有する被覆シート部が貼着された屋根板材と、挟持片を有する鞍形状のジョイント部材と、栽培層と、網状覆い材とからなり、前記屋根板材が複数並設され、その隣接する屋根板材同士において、屋根板材の他方の立上り側部を隣接する屋根板材の一方の立上り側部と連結用屈曲部間に挟持するようにして配置され、隣接する屋根板材同士の被覆シート部が該被覆シート部と同等の材質からなる接合材にて熱融着され水密的に連結固着されて隣接する屋根板材の立上り側部が水密状に接合され、前記主板上に栽培層が配置され、前記ジョイント部材は両挟持片にて隣接する屋根板材の連結箇所における立上り側部と，連結用屈曲部とを挟持するようにして配置され、前記網状覆い材が前記ジョイント部材を介して前記栽培層上を被覆されてなることを特徴とする緑化屋根。
【請求項３】
請求項１又は２において、前記栽培層は複数の育成用マットからなることを特徴とする緑化屋根。
【請求項４】
請求項１，２又は３において、前記屋根板材の被覆シート部は、ハロゲン元素を含まないオレフィン系合成樹脂からなることを特徴とする緑化屋根。
【請求項５】
請求項２，３又は４において、前記ジョイント部材には金属板部に被覆シート部が貼着されてなることを特徴とする緑化屋根。
【請求項６】
請求項１，２，３，４又は５において、前記被覆シート部は、エチレン・プロピレンを主成分とする合成高分子ゴムからなることを特徴とする緑化屋根。
【発明の詳細な説明】
【０００１】
【発明の属する技術分野】
本発明は、屋根上面にて種々の植物，作物等の栽培を行うことができるもので、防水性及び耐根性が良好であり、且つその維持，管理も簡単にできる緑化屋根に関する。
【０００２】
【従来の技術】
近年、屋根上面を利用して植物，作物等の栽培が行われている。特に、日当たり，風通し等の栽培条件が適正な場合が多く、このようなことから栽培に適している。また、屋根表面が植物により覆われることで、植物の彩りが屋根の外観を大きく変化させることができる。
【０００３】
しかも、緑系統の植物は、屋根を鮮やかに緑化させることができ、これはどの様な塗装を行っても、その雰囲気を再現することはできない。また、通常この種の緑化設備を備えた屋根は、該屋根上面に防水シートが敷設される等の防水処置が行われることにより、一般の屋根の防水構造より複雑な構造となるものであった。
【０００４】
【発明が解決しようとする課題】
上述したように、緑化屋根の防水構造については、一般の屋根よりも複雑な構造となる。さらに、屋根は、風雨にもっとも激しく晒される場所であり、そのために、植物は、これらが植設された土壌或いはマットごと吹き飛ばされてしまうおそれがある。しかも、植物が植設されるベースを土壌とした場合には、その重量も大きくなり、屋根にかかる重量的負担は相当なものとであり、強固な構造にすると、どうしても施工費用が高価となる。
【０００５】
【課題を解決するための手段】
そこで、発明者は、上記課題を解決すべく、鋭意，研究を重ねた結果、本発明を、主板の幅方向両側端に立上り側部が形成され、一方の立上り側部の上端より外方に向かって連結用屈曲部が形成されてなる金属板部に、防水性及び熱融着性を有する被覆シート部が貼着された屋根板材が複数並設され、その隣接する屋根板材同士において、屋根板材の他方の立上り側部を隣接する屋根板材の一方の立上り側部と連結用屈曲部間に挟持するようにして配置され、隣接する屋根板材同士の被覆シート部が該被覆シート部と同等の材質からなる接合材にて熱融着され水密的に連結固着されて屋根が施工され、該屋根表面上に栽培層が配置されてなる緑化屋根としたことにより、屋根上の植物，野菜等を育成する栽培層及び屋根に耐根性（耐久性）を有するものとし、また屋根自体の防水性に優れ且つ構造を簡単にすることができ、上記課題を解決したものである。
【０００６】
【発明の実施の形態】
以下、本発明の実施形態を図面に基づいて説明する。まず、図５（Ａ）に示すように、屋根板材Ａは、適宜に屈曲形成された金属板部Ａ１  の表面に被覆シート部Ａ２  が貼着されて構成されたものであり、その金属板部Ａ１  は、平坦状の主板１の幅方向両側端に立上り側部２，２が形成されている。該立上り側部２は、主板１と略直角をなしている。その主板１の幅方向中央箇所には仕切り用立上り部１ａが形成されることもある。
【０００７】
その複数の屋根板材Ａ，Ａ，…を並設することにより施工される屋根の表面上に栽培層Ｃが配置される。該栽培層Ｃは、直接土壌を使用したり或いは後述する人工素材から成形された育成用マット８，８が配置されるようになっている〔図２及び図４（Ａ），（Ｂ）参照〕。
【０００８】
前記両立上り側部２，２の一方の立上り側部２の上端より主板１の外方に向かって連結用屈曲部３が形成されている。該連結用屈曲部３は、前記立上り側部２の上端から折返し状に屈曲形成されたもので、該立上り側部２に略対向するようにして垂下状部３ａが形成され、該垂下状部３ａの下端から主板１の外方に向かって、連結片３ｂが形成されている〔図５（Ａ）及び図６（Ａ）参照〕。
【０００９】
該連結片３ｂは、平坦状面３ｂ１  と僅かに傾斜する傾斜端面３ｂ２  とから構成されており、傾斜端面３ｂ２  は、隣接する屋根板材Ａ，Ａ同士の連結に係る部位となる。その屋根板材Ａは、多数枚用意され、母屋等の構造材とした下地材上に並設されてゆく〔図４（Ａ）参照〕。
【００１０】
その幅方向に隣接する屋根板材Ａ，Ａ同士において、一方の屋根板材Ａの立上り側部２に、他方の屋根板材Ａの立上り側部２と垂下状部３ａとの間に挟持するようにして配置される〔図４（Ａ）及び図６（Ｂ）参照〕。そして一方の屋根板材Ａの主板１上に、他方の屋根板材Ａの連結片３ｂが載置され、傾斜端面３ｂ２  が当接し、この部分が水密的に連結固着されるものである。
【００１１】
その屋根板材Ａの金属板部Ａ１  の表面側には、前述したように被覆シート部Ａ２  が貼着されている〔図６（Ａ）参照〕。その被覆シート部Ａ２  は、具体的には、前記金属板部Ａ１  の主板１，両立上り側部２，２及び連結用屈曲部３に連続的に貼着されるものである。その被覆シート部Ａ２  の具体的な厚さは、０．３ｍｍ乃至１ｍｍ程度であり、好ましくは０．５ｍｍ程度である。
【００１２】
その被覆シート部Ａ２  の性質は、約１００℃内外の温度にて溶融するものが好適であり、且つ耐根性（耐久性）のあるものであればどのような材質のものであってもかまわない。また、溶融する温度の設定も材質により種々異なるが、屋根板材Ａの使用条件に適応するように設定される。
【００１３】
また、被覆シート部Ａ２  は、紫外線又は汚染空気に対して強いもので耐候性に優れた材質であり、且つ破断，膨れ或いはひび割れ等が起きにくい性質のものが好ましい。上記条件を満たす具体的な材質として好適なるものには、エチレン・プロピレンを主成分とした合成高分子ゴム材等が存在する。
【００１４】
さらに、その被覆シート部Ａ２  を構成する成分は、ハロゲンを含まない化合物から構成される。即ち、被覆シート部Ａ２  を構成する成分から塩素系化学物質を排除したものである。具体的には、被覆シート部Ａ２  が有機塩素化合物を基にして形成されたものではないことであり、具体的には、塩化ビニル樹脂やポリ塩化ビニリデン樹脂が含まれないことである。
【００１５】
これによって、被覆シート部Ａ２  は、焼却しても、ダイオキシンを発生することがなく、環境，生物に対して害を及ぼさないものである。これは、ダイオキシンが生じる原因として、ハロゲンが主要なる化学物質であるが、このハロゲンを被覆シート部Ａ２  の構成物質から排除してダイオキシンの発生を防止しようとするものである。
【００１６】
その他に、人体や自然環境に害を及ぼす可能性があるものとしてポリカーボネート，ポリスチレン，エポキシ樹脂，フェノール樹脂，メラミン樹脂，ユリア樹脂等が存在するが、これらも被覆シート部Ａ２  の構成物質から排除するものである。
【００１７】
また、被覆シート部Ａ２  には、柔軟性を与えるための添加剤としての可塑剤を含まないものとする。その可塑剤は、具体的には、フタル酸エステル類等であるが、前記被覆シート部Ａ２  には、このフタル酸エステル類を排除している。このような、環境に悪影響を及ぼすことがない化学物質で、且つ塩素系を含まないものとしてオレフィン系化合物から形成された被覆シート部Ａ２  が最も好ましい。
【００１８】
このような成分からなる被覆シート部Ａ２  は、焼却時にダイオキシンを発生しないので、耐用年数を経過した屋根，壁等を構成する建設用材を建築物から撤去し、新たに葺き替えるときに撤去した古い建設用材は、焼却してもダイオキシンを発生することがなく、環境保護に貢献することができるものである。その被覆シート部Ａ２  が前記屋根板材Ａに貼着される接着剤としては耐熱性を有するものが使用される。具体的には、クロロプレンゴム系接着剤又はニトリルゴム系接着剤等が好適である。
【００１９】
次に、ジョイント部材Ｂは、二つの挟持片５，５から外形が略鞍形状に形成されたものである〔図６（Ｃ）参照〕。該挟持片５，５は、上端に折返し部位が形成されるようにしてなるものである。その挟持片５，５の上端には貫通孔６が形成されており、該貫通孔６には、後述するフック７が引っ掛けられるようになっている。
【００２０】
そのジョイント部材Ｂの両挟持片５，５は、前述した隣接する屋根板材Ａ，Ａの連結箇所における立上り側部２と，連結用屈曲部３の垂下状部３ａとを挟持するようにして配置され接合固着されるようになっている。その接合手段は、溶接等の水密性が維持される手段が使用される。
【００２１】
そのジョイント部材Ｂには、前述したように屋根板材Ａと同様の構成である。即ち、鞍形状に形成された金属板部Ｂ１  の表面に被覆シート部Ｂ２  が貼着されて構成されたものである。そのジョイント部材Ｂに貼着される被覆シート部Ｂ２  は、前記屋根板材Ａに貼着された被覆シート部Ａ２  と同等の成分から形成されたものであり、また、その厚さも同等である〔図７（Ａ）参照〕。ジョイント部材Ｂの場合には、被覆シート部Ｂ２  はジョイント部材Ｂを構成する挟持片５，５の表面側にのみ貼着される実施例と、挟持片５，５の表面側及び内面側に貼着される実施例とが存在する〔図８（Ａ）参照〕。
【００２２】
次に、フック７は、輪部７ａと鉤部７ｂとから構成されるものであり、該鉤部７ｂが前記ジョイント部材Ｂの貫通孔６に係止することができるようになっている。或いは、フック７の輪部７ａがジョイント部材Ｂの貫通孔６に組み合わされることもある〔図３及び図４（Ｂ）等参照〕参照）。
【００２３】
また、前記ジョイント部材Ｂには、フック７を一体的に形成した実施例も存在している。該実施例は、ジョイント部材Ｂの挟持片５，５の一方側に断面逆Ｕ字形状に屈曲された部位が形成され、この部位がフック７として使用される〔図１０（Ａ），（Ｂ）参照〕。
【００２４】
次に、栽培層Ｃを構成する育成用マット８については、繊維質の材質から構成され、平面的に見て略正方形或いは長方形の偏平布団状に形成されたものである〔図５（Ｃ）参照〕。該育成用マット８には種子が埋め込まれ、その育成用マット８から植物が成長して行くものである。その育成用マット８の厚さは、前記屋根板材Ａの立上り側部２，２の高さより僅かに高い程度のものが好適である。
【００２５】
次に、網状シート９は、前記屋根板材Ａの主板１上に載置された育成用マット８を被覆し、育成用マット８を主板１上に固定する役目をなす。育成用マット８は、その略全面が網部９ａであり、前記フック７が引っ掛けやすいようになっている。該フック７は、網部９ａに引っ掛けてもよいが、網状シート９の端部に帯状補強部９ｂを形成し、該帯状補強部９ｂに形成された貫通孔部９ｂ１  ，９ｂ１  ，…を利用して、前記フック７の鉤部７ｂを係止したり、或いは輪部７ａをその貫通孔部９ｂ１  ，９ｂ１  ，…に組み合わせてもよい。
【００２６】
本発明の緑化屋根は、まず下地部上に複数の屋根板材Ａ，Ａ，…が並設され、吊子を使用して屋根板材Ａの立上り側部２箇所が下地部に固着される。そして、屋根板材Ａの連結用屈曲部３が形成されていない側の立上り側部２に、これと隣接する屋根板材Ａの立上り側部２と垂下状部３ａによる部位が被せられる〔図６（Ｂ）参照〕。そして、主板１上に隣接する屋根板材Ａの連結片３ｂの傾斜端面３ｂ２  が当接されて、主板１と連結片３ｂとが水密的に連結されるものである。
【００２７】
隣接する屋根板材Ａ，Ａ同士の連結は、被覆シート部Ａ２  に接合材１０が使用される。接合材１０は、被覆シート部Ａ２  と同等の材質から形成され、エチレン・プロピレンを主成分としたものである。そして、隣接する屋根板材Ａ，Ａ同士の被覆シート部Ａ２  ，Ａ２  の部位に配置され、専用の溶接機（樹脂専用）から熱風を噴出し、被覆シート部Ａ２  ，Ａ２  と接合材１０とが融着されて連結される〔図７（Ａ），図８（Ａ）参照〕。
【００２８】
具体的には、前記溶接機から５００℃前後の熱風を噴出しながら、３乃至５ｍ／分の速度で移動させ、接合材１０及び被覆シート部Ａ２  ，Ａ２  を加熱し、被覆シート部Ａ２  ，Ａ２  と接合材１０とが融着される。屋根板材Ａ，Ａ同士の連結に使用される接合材１０は、シート状或いは帯形状をなしている。
【００２９】
次に、隣接する屋根板材Ａ，Ａの連結部位、即ち立上り側部２と垂下状部３ａとで形成された部位をジョイント部材Ｂの両挟持片５，５で挟持するようにして、ジョイント部材Ｂが被せられる。次いで、両挟持片５，５が前記立上り側部２と垂下状部３ａとに連結される。ジョイント部材Ｂと屋根板材Ａとの接合は、前記接合材１０を介して接合する。そのジョイント部材Ｂと屋根板材Ａとの接合に使用される接合材１０としては、棒状に形成されたものが好適である〔図７（Ｂ），図８（Ｂ）参照〕。
【００３０】
屋根板材Ａの主板１には、複数の育成用マット８，８，…が敷設される。前記主板１には、幅方向両側に立上り側部２，２が形成され、その主板１の幅方向中央に仕切り用立上り部１ａが形成されている。育成用マット８は、仕切り用立上り部１ａの両側と立上り側部２，２との間に収容される。そして、その育成用マット８，８，…上に網状シート９が敷設され、前記ジョイント部材Ｂと網状シート９とがフック７により連結される（図９参照）。
【００３１】
【発明の効果】
請求項１の発明は、主板１の幅方向両側端に立上り側部２，２が形成され、一方の立上り側部２の上端より外方に向かって連結用屈曲部３が形成されてなる金属板部Ａ1 に、防水性及び熱融着性を有する被覆シート部Ａ2 が貼着された屋根板材Ａ，Ａ，…が複数並設され、その隣接する屋根板材Ａ，Ａ同士において、屋根板材Ａの他方の立上り側部２を隣接する屋根板材Ａの一方の立上り側部２と連結用屈曲部３間に挟持するようにして配置され、隣接する屋根板材Ａ，Ａ同士の被覆シート部Ａ2 ，Ａ2 が該被覆シート部Ａ2 と同等の材質からなる接合材１０にて熱融着され水密的に連結固着されて屋根が施工され、該屋根表面上に栽培層Ｃが配置されてなる緑化屋根としたことにより、防水性及び栽培に対して耐根性（耐久性）のある緑化屋根にすることができる。
【００３２】
その屋根板材Ａは、金属板部Ａ１  に被覆シート部Ａ２  を貼着したもので、該被覆シート部Ａ２  は、防水性及び熱融着性を有しているので、屋根板材Ａ，Ａ同士の連結には被覆シート部Ａ２  ，Ａ２  に同種の材質からなる接合材を熱融着等の接合手段により防水性のある屋根とすることができる。
【００３３】
また、本発明は、耐根性（耐久性）を備えており、たとえば、植物，野菜等の栽培で、その根が栽培層Ｃの底から突出して、被覆シート部Ａ２  を突き破ったとしても、その下地が金属板部Ａ１  であるために、根が金属板部Ａ１  により押さえることができるという植物，野菜等の根に対する耐久性，即ち耐根性を有するものである。
【００３４】
請求項２の発明は、主板１の幅方向両側端に立上り側部２，２が形成され、一方の立上り側部２，２の上端より外方に向かって連結用屈曲部３が形成されてなる金属板部Ａ1 に、防水性及び熱融着性を有する被覆シート部Ａ2 が貼着された屋根板材Ａと、挟持片５，５を有する鞍形状のジョイント部材Ｂと、栽培層Ｃと、網状覆い材９とからなり、前記屋根板材Ａ，Ａ，…が複数並設され、その隣接する屋根板材Ａ，Ａ同士において、屋根板材Ａ，Ａの他方の立上り側部２，２を隣接する屋根板材Ａ，Ａの一方の立上り側部２，２と連結用屈曲部３間に挟持するようにして配置され、隣接する屋根板材Ａ，Ａ同士の被覆シート部Ａ2 が該被覆シート部Ａ2 と同等の材質からなる接合材１０にて熱融着され水密的に連結固着されて隣接する屋根板材Ａ，Ａの立上り側部２，２が水密状に接合され、前記主板１上に栽培層Ｃが配置され、前記ジョイント部材Ｂは両挟持片５，５にて隣接する屋根板材Ａ，Ａの連結箇所における立上り側部２と，連結用屈曲部３とを挟持するようにして配置され、前記網状覆い材９が前記ジョイント部材Ｂを介して前記栽培層Ｃ上を被覆されてなる緑化屋根としたことにより、防水性且つ耐根性（耐久性）のに優れた緑化屋根とすることができ、維持，管理も簡単にすることができる。
【００３５】
上記効果を詳述すると、屋根板材Ａは、主板１の幅方向両側に立上り側部２，２が形成され、該立上り側部２，２により囲まれた主板１上に栽培層Ｃが配置され、該栽培層Ｃ上を網状覆い材９にて被覆される構造としているので風雨にさらされても屋根板材Ａから吹き飛ばされることがなく、十分に耐え得ることができる優れた耐久性そ有することができる。
【００３６】
また、網状覆い材９は、ジョイント部材Ｂを介して屋根板材Ａに装着されるものであり、屋根板材Ａには簡単な加工により、簡単に施工することができる。さらに、屋根板材Ａから網状覆い材９を取り外すことにより、栽培層Ｃの交換又は種子の植付作業等を簡単に行うことができ、維持，管理が効率的に行えるものである。
【００３７】
その屋根表面に敷設された栽培層Ｃは、網状シート９によりしっかりと屋根板材Ａ表面に固定され、風雨に対して飛ばされたり、或いはずれ落ちたりすることを防止して耐久性のあるものとすることができる。また、屋根板材Ａの表面には、栽培層Ｃを敷設する際に、何ら加工する必要がなく、施工を極めて簡単にすることができる。
【００３８】
次に、請求項３の発明は、請求項１又は２において、前記栽培層Ｃは複数の育成用マット８，８，…からなる緑化屋根としたことにより、栽培層Ｃの維持，管理等がさらに効率的に行うことができる。即ち、栽培層Ｃは、複数の育成用マット８，８，…を敷設することにより構成したもので、部分的に新しいものと交換すること等が可能であり、維持，管理が行い易くなるものである。
【００３９】
次に、請求項４の発明は、請求項１，２又は３において、前記屋根板材Ａの被覆シート部Ａ２  は、ハロゲン元素を含まないオレフィン系合成樹脂からなる緑化屋根としたことにより、第１に屋根板材Ａによる屋根の水密性及び防水性が十分に確保されるし、第２に将来、その建築物が老朽化した場合の屋根板材Ａを廃棄処分においては環境保全に寄与することができる。
【００４０】
上記効果は、屋根板材Ａに被覆シート部Ａ２  を貼着し、隣接する屋根板材Ａ，Ａ同士は被覆シート部Ａ２  同士を溶融して融着するものであるから、屋根の水密性を良好にすることができる。次に、その屋根板材Ａを産業廃棄物としてに焼却処分する際に、被覆シート部Ａ２  及び被覆シート部Ｂ２  は、オレフィン系合成樹脂から構成されたものであるがゆえに、燃焼カロリーが低いので焼却炉等の装置を損傷することがないし、燃焼時に有害物質を排出することがない。
【００４１】
さらに、火災時には、前述したように有害なガスを生じることなく且つ煙の発生も少なくでき、人体に及ぼす影響を極めて少なくすることができ、このようなことから廃棄処分の際に環境破壊等の害悪を起こすようなことを防止することができる。
【００４２】
次に、請求項５の発明は、請求項２，３又は４において、前記ジョイント部材Ｂには金属板部Ｂ１  に被覆シート部Ｂ２  が貼着されてなる緑化屋根としたことにより、ジョイント部材Ｂと屋根板材Ａとの連結も熱融着手段により行うことができるものであり、その施工をより一層簡単なものとし、また、ジョイント部材Ｂと屋根板材Ａとの連結箇所における防水性も良好にすることができる。
【００４３】
次に、請求項６の発明は、請求項１，２，３，４又は５において、前記被覆シート部Ａ２  ，Ｂ２  は、エチレン・プロピレンを主成分とする合成高分子ゴムからなる緑化屋根としたことにより、前記被覆シート部Ａ２  ，Ｂ２  は、耐熱性，融着性に優れた材質にすることができるので、融着による連結部分を簡易且つ迅速にすることができ、施工性に優れた建築用板Ａとすることができる。
【図面の簡単な説明】
【図１】本発明の斜視図
【図２】本発明の一部切除した要部斜視図
【図３】本発明の要部拡大斜視図
【図４】（Ａ）は本発明の縦断正面図
（Ｂ）は本発明の拡大縦断正面図
【図５】（Ａ）は屋根板材の斜視図
（Ｂ）はジョイント部材の斜視図
（Ｃ）は育成用マットの斜視図
（Ｄ）は網状シートの斜視図
【図６】（Ａ）は屋根板材の縦断正面図及びイ部拡大断面図
（Ｂ）は屋根板材の立上り側部及び連結用屈曲部の連結構造断面図
（Ｃ）はジョイント部材の斜視図
【図７】（Ａ）は隣接する屋根板材の接合箇所とジョイント部材とが分離した状態の縦断正面図
（Ｂ）は（Ａ）のイ部拡大図
（Ｃ）は隣接する屋根板材の接合箇所にジョイント部材を連結した状態の縦断正面図
（Ｄ）は（Ｃ）のロ部拡大図
【図８】（Ａ）は屋根板材の要部及び別の実施例のジョイント部材の縦断正面図
（Ｂ）は屋根板材に別の実施例のジョイント部材を連結した縦断正面図
【図９】本発明の施工状態を示す縦断正面図
【図１０】（Ａ）はフックを一体的に形成したジョイント部材を装着した緑化屋根の縦断正面図
（Ｂ）はフックを一体的に形成したジョイント部材の斜視図
【符号の説明】
１…主板
２…立上り側部
Ａ…屋根板材
Ａ１  …金属板部
Ａ２  …被覆シート部
５…挟持片
Ｂ…ジョイント部材
Ｂ１  …金属板部
Ｂ２  …被覆シート部
８…育成用マット
９…網状シート
【図１】
0003557136.tif 000002
【図２】
0003557136.tif 000003
【図３】
0003557136.tif 000004
【図４】
0003557136.tif 000005
【図５】
0003557136.tif 000006
【図６】
0003557136.tif 000007
【図７】
0003557136.tif 000008
【図８】
0003557136.tif 000009
【図９】
0003557136.tif 000010
【図１０】
0003557136.tif 000011